Podtech/llm-jp-corpus-v4-ja_patent huggingface dataset:
(57)【要約】      （修正有）【課題】香りによる癒し効果を備えた、香や精油などの香料出し入れ可能な装飾具及びアロマ装飾具を配置してなるツリーを提供する。【解決手段】布地でなる巾着状の袋体に、グラスファイバー製または、ポリエステル製で、炭のシートが付き、開閉自在の匂い袋を挿入し、該匂い袋に香料を封入する装飾具。及び、当該装飾具を配置するツリー。【選択図】図１
0003112079.tif 000002
【実用新案登録請求の範囲】
【請求項１】
布地でなる巾着状の袋体に、グラスファイバー製または、ポリエステル製、炭のシート付、開閉自在の匂い袋を挿入してなり、該匂い袋に香料を封入してなる装飾具。
【請求項２】
請求項１記載の装飾具を配置してなるツリーを特徴とする。
【考案の詳細な説明】
【技術分野】
【０００１】  本考案は交換可能な香りの装飾具。及びその装飾具を特徴とする行事用飾りセットに関するものである。
【背景技術】
【０００２】  従来、Ｘマスなどは、観賞用の装飾にと停まっていた。（例えば特許文献１参照）【０００３】
【特許文献１】実用新案登録第３０９０２５３号公報
【０００４】  従来の匂い袋にあっては、数を揃えることで実用上十分であった。装飾具においては日本独自な和の匂い袋の応用が少ない問題があった。
しかも、お香の調合費用は高価であり、人の香りの嗜好の違により、付け替え可能な市販品がない欠点がある。【０００５】  この改善策として、クリスマスや和の行事用の付け替え可能な香りの装飾具を製作。香りの苦手な人にも、装飾具の形を損わず香りを付け替えしやすくする必要がある。
【考案の開示】
【考案が解決しようとする課題】
【０００６】  上記従来、技術ではない、癒しの機能を持つ装飾具としてアロマティックな装飾具が求められていた。
【課題を解決するための手段】
【０００７】  本考案は、請求の範囲による布地でなる大きさデザイン様々な巾着状の袋体に、グラスファイバー製または、ポリエチレン製、炭シート付、開閉自在の匂い袋を挿入してなり、該匂い袋の和・洋其々の香料を封入し、入れ可能な装飾具とした。【０００８】  本考案は、和のＸマスツリーをはじめ、様々な行事に利用できる装飾具を配置してなるアロマティックなツリーを特徴とする。
【考案の効果】
【０００９】  本考案は、匂いの成分を備えているので癒しの効果が期待できる。【００１０】  通常のお香のように火気を必要としない。【００１１】  視覚の障害に左右されず扱い易い。【００１２】  ポリエチレン製の匂い袋で香りの拡散を調節を加減でき、閉止も可能である。【００１３】  香りにおいては和の香のものでも、洋の精油成分でも可能である。【００１４】  香りの成分で巾着状の袋体を損う恐れがない。【００１５】  香りのジッパァーを閉じると、無臭の装飾具となり、年代や香りの嗜好に関わらず楽しめる。
【考案を実施するための最良の形態】
【００１５】  図１はＸマスツリーの例であって、装飾具１、１ａは、西陣織の布地。あるいは他の材質ので構成された袋体であって球状１、小袋１ａ等、好きな形状に作ることができる。【００１６】  図２の球状−図１には、切り目状の出入口があり、匂い袋がチャック付ポリエチレン製の袋内に内臓し、そのポリエチレン製の袋が出し入れできる。香りの拡散防止と袋体の保護のため、グラスファイバー製や炭のシートも利用したい。【００１７】  図２の球状−図１は、厚みがあるので内臓されるチャック付ポリエチレン袋を出し入れしても、形状や厚みを損わず実現できる。
【産業上の利用可能性】
【００１５】  Ｘマスツリーのみに限らず、和洋どちらにも可能な形状は季節の行事の用途にも適用できる。【００１６】  西陣織りの布地の美しさを損うことなく、他の材質でも応用適応でき、球状の厚みのある巾着袋体の中の香りも季節や、備え付ける場所、ＴＰＯに応じて和洋の香りに変化を持たせられる。【００１７】  縮緬や麻など、布地だけでなく伸びる紙製のものなど、材質を変えて装飾具の形も変化でき、世代問わず楽しめる可能性がある。
【図面の簡単な説明】
【００１８】
【図１】本考案香り装飾具を配置したＸマスツリーの正面図である。
【図２】本考案装飾具の一例を示す斜視図である。
【図３】本考案変更可能な装飾具の一例を示す斜視図である。
【図４】本考案装飾具に用いられるチャック式ポリエステル製の袋と中の匂い袋の一例を示す正面図である。
【図５】本考案装飾具に用いられるほかのチャック式グラスファイバー製の袋と炭のシートを覆った匂い袋の一例を示す正面図である。
【符号の説明】
【００１９】１  西陣布・その他材質装飾具部
２  綿・ポリエステル部
３  出し入れ付ポリエステル部
４  布織紙部
５  香料
６  グラスファイバー部
７  炭シート部
【図１】
0003112079.tif 000003
【図２】
0003112079.tif 000004
【図３】
0003112079.tif 000005
【図４】
0003112079.tif 000006
【手続補正書】
【提出日】平成17年3月22日(2005.3.22)
【手続補正１】
【補正対象書類名】実用新案登録請求の範囲
【補正対象項目名】全文
【補正方法】変更
【補正の内容】
【実用新案登録請求の範囲】
【請求項１】
布地でなる巾着状の袋体に、グラスファイバー製または、ポリエステル製、炭のシート付、開閉自在の匂い袋を挿入してなり、該匂い袋に香料を封入してなる装飾具。
【請求項２】
請求項１記載の装飾具を配置してなるツリー。
【手続補正２】
【補正対象書類名】図面
【補正対象項目名】図３
【補正方法】変更
【補正の内容】
【図３】
0003112079.tif 000007
【手続補正３】
【補正対象書類名】図面
【補正対象項目名】図４
【補正方法】変更
【補正の内容】
【図４】
0003112079.tif 000008
【手続補正４】
【補正対象書類名】図面
【補正対象項目名】図５
【補正方法】変更
【補正の内容】
【図５】
0003112079.tif 000009
(57)【要約】【課題】自転車を容易にまたは、完全に固定する。また、装置上の歩行等を容易にする。【解決手段】金属製及びグラスファイバー（ＦＲＰ）等のスロープに溝を掘り、そこに自転車前輪を差込み固定する。【選択図】図１
0003112076.tif 000002
【実用新案登録請求の範囲】
【請求項１】
駐輪装置の構造
【考案の詳細な説明】
【考案の説明】
考案の所属する分野
工学
【背景技術】自転車の前輪に合うような金属製の輪留めを使用し、固定したり、上下２段で小スペース化させる。
しかしながら、それらの方法では、自転車を駐輪していない時は突起物となり、歩行の妨げになる危険性がある。
また、装置上を歩行、または物品の運搬をする事は非常に困難である。
上下２段の場合は、力の弱い人（高齢者、幼児、女性）には自転車を持ち上げるのが困難である。
【考案が解決しようとする課題】
駅前等で放置自転車が歩行者の妨害等で社会問題となっている。
また従来の製品では駐輪していない時でも、駐輪以外使用できなくなってしまう構造となっている。また強風下において自転車の転倒を防止するような各家庭でも使用できるような、駐輪装置が必要である。
【課題を解決する手段】
強風下において自転車が転倒する原因は、前輪が車体に対して約９０度となり回転する事によって発生する。
また、駐輪していない時の装置上の移動等を考慮した結果、装置上方に何も突起がない構造がのぞましい。そこで金属製スロープにタイヤ巾の溝を空け、そこに前輪を差込、自転車を固定するものである。
【考案を実施するための最良の形態】スロープに複数個の溝を空け、それを必要枚数並列に並べる。
設置場所は壁の前、道路の路側帯等の段差のある場所が望ましい。
【実施例】駐輪場での実施例を物件名「実施例１から４の写真」でしめす。
【考案の効果】
実施場所において、今だに強風が原因の転倒の報告は受けていない。
また駐輪の容易さから駐輪場所以外での放置自転車も最近ではほぼなくなった。また、前輪を完全に固定するため、自転車の後輪スタンドを使用しなくても自転車が転倒する事がない。それを実施例５において示す。
又、道路巾が狭い場所等では、自転車後部から道路巾に余裕を持たす為、実施例６に示す様に溝に角度を付ける事も可能である。
それを実施例６において示す。
【図面の簡単な説明】
【図１】駐輪装置側面の断面図である。
【図２】駐輪装置を上から見た平面図である。
【図３】駐輪装置の製作画面である。
【図４】角度を付けた場合の駐輪装置の製作図である。
【符号の説明】
図中の数字は全てインチ表示である。
【図１】
0003112076.tif 000003
【図２】
0003112076.tif 000004
【図３】
0003112076.tif 000005
【図４】
0003112076.tif 000006
【手続補正書】
【提出日】平成17年4月7日(2005.4.7)
【手続補正１】
【補正対象書類名】実用新案登録請求の範囲
【補正対象項目名】全文
【補正方法】変更
【補正の内容】
【実用新案登録請求の範囲】
【請求項１】
鉄製の鋼板に自転車の前輪が入る長穴を切削し、その長穴の両側に鋼板を溶接し、鋼板全体の手前側を低く、後方側を高く傾斜がつく様に折り曲げる事によつて自転車本体が左右に倒れるのを防ぐことを特徴としている駐輪装置。
(57)【要約】      （修正有）【課題】イカリの根がかり解消機を使用することで揺れる船舶の上でも簡単作業が出来るイカリの根がかり解消機を提供する。【解決手段】丸リンク１と２を溶接でつけイカリに丸リンク２を通しボルト４をつけパイプ５にバネ６を通しパイプ５の両端を広げバネ６の両端を切る。イカリにロープを留めそのロープをパイプ５に通す。バネ６の切れ目からイカリに取り付けてある丸リンク１に差し込むことを特徴とする。【選択図】図２
0003112071.tif 000002
【実用新案登録請求の範囲】
【請求項１】
丸リンク（１）と丸リンク（２）を溶接（３）でつけイカリ本体に自由に回る丸リンク（２）を通しボルト（４）をつけパイプ（３）にバネ（４）を通しパイプ（３）の両端を広げバネ（４）の両端は強く押すことでリンク（１）につながるようにきる。
イカリの根がかり解消機
【考案の詳細な説明】
【考案の詳細な説明】
【技術分野】
【０００１】この考案はイカリ本体に丸リンクをつけバネで丸リンクをはさんだイカリの根がかり解消機。
【背景技術】
【０００２】従来、強く引くことで切れるロープをつかっていた。
【考案が解決しようとする課題】
【０００３】これには次のような欠点があった。
強く引くことで切れたロープを外し代わりのロープの取り付けるこの作業は揺れる船舶の上では大変だった。
本考案は  これらの欠点を除くためになされたものである。
【課題を解決刷る為の手段】
【０００４】図１のように丸リンク（１）と（２）を溶接（３）でつけ図３のようにイカリ本体に  自由に回る丸リンク（２）を通しボルト（４）をつける図２のようにパイプ（５）にバネ（６）を通しパイプ（５）からバネ（６）が抜けない用にパイプ（５）の両端を広げバネ（６）の両端は図２の用に切る。図３の用にイカリ本体にロープを留めそのロープをパイプ（５）に通しバネ（６）の切れ目からイカリ本体に取り付けてある丸リンク（１）に差し込む  本考案は以上のような構成よりなるイカリの根がかり解消機である。
【考案を実施するための最良の形態】
【０００５】以下、本案の実施の形態について説明する。
（イ）図１のように丸リンク（１）と（２）を溶接（３）でつけ図３のようにイカリ本体に自由に回る丸リンク（２）を通しボルト（４）をつける。
（ロ）図２のようにパイプ（５）にバネ（６）を通しパイプ（５）からバネ（６）が抜けないようにパイプ（５）の両端を広げバネ（６）の両端は図２のように切る。
（ハ）図３のようにイカリ本体にロープを留めそのロープをパイプ（５）に通しバネ（６）の切れ目からイカリ本体に取り付けてある丸リンク（１）に差し込む
本案を使用する時はイカリが根がかりした時に船舶を前に進めることでバネ（６）が丸リンク（１）から外れ図４のようになり根がかりから解消される  又使用する時は丸リンク（１）にバネ（６）を差し込んで使用する。
【考案の効果】
【０００６】本案は以上のような構造でこれを使用する時はイカリが根がかりした時に船舶を前に進めることでバネ（６）が丸リンク（１）から外れ図４の用になり根がかりから解消される。
又使用する時は丸リンク（１）にバネ（６）を差し込んで使用する。
【図面の簡単な説明】
【図１】本考案のイカリ本体に取り付けるリンク（１）と（２）の斜視図である
【図２】本考案のロープに通す斜視図である
【図３】本考案の使用する時の斜視図である
【図４】本考案のイカリの根がかりを解消した時の斜視図である
【符号の説明】
１  丸リンク    ２丸リンク    ３溶接    ４ボルト
【図１】
0003112071.tif 000003
【図２】
0003112071.tif 000004
【図３】
0003112071.tif 000005
【図４】
0003112071.tif 000006
【手続補正書】
【提出日】平成16年5月6日(2004.5.6)
【手続補正１】
【補正対象書類名】実用新案登録請求の範囲
【補正対象項目名】全文
【補正方法】変更
【補正の内容】
【実用新案登録請求の範囲】
【請求項１】
丸リンク（１）と丸リンク（２）を溶接（３）でつけイカリ本体に回る丸リンク（２）を通しボルト（４）をつけパイプ（３）にバネ（４）を通しパイプ（３）の両端を広げバネ（４）の両端は強く押すことでリンク（１）につながるようにきるイカリの根がかり解消機
【手続補正書】
【提出日】平成16年8月17日(2004.8.17)
【手続補正１】
【補正対象書類名】実用新案登録請求の範囲
【補正対象項目名】全文
【補正方法】変更
【補正の内容】
【実用新案登録請求の範囲】
【請求項１】
（イ）丸リンク（１）と（２）を溶接（３）でつけイカリ本体に自由に回る  丸リンク（２）を通しボルト（４）で固定する。
（ロ）パイプ（５）にバネ（６）を通しバネ（６）がパイプ（５）から抜けないようにパイプ（５）の両端を広げる。
（ハ）バネ（６）の先の間から丸リンク（１）に差し込みバネ（６）と丸リンク（１）をつなげる。
（ニ）イカリ本体のツメの根元にロープを結びパイプ（５）にロープを通した根がかり解消機。
【手続補正書】
【提出日】平成16年11月24日(2004.11.24)
【手続補正１】
【補正対象書類名】実用新案登録請求の範囲
【補正対象項目名】全文
【補正方法】変更
【補正の内容】
【実用新案登録請求の範囲】
【請求項１】
「（イ）丸リンク（１）と（２）を溶接（３）でつけ、イカリ本体に自由に回る丸リンク（２）を通しボルト（４）で固定する。（ロ）パイプ（５）にバネ（６）を通し、バネ（６）がパイプ（５）から抜けないようにパイプ（５）の両端を広げる。（ハ）バネ（６）の先の間から丸リンク（１）に差し込み、バネ（６）と丸リンク（１）をつなげる。（二）イカリ本体のツメの根元にロープを結びパイプ（５）にロープを通す。  以上からなる根がかり解消機。」
(57)【要約】【課題】既存する根の乾燥や雑草等の侵入などによる被害を防止するものがないことから、経費等の掛り増しになっている。そこで、この考案は、軽くて運搬が容易で簡単に設置でき、植栽木の被害などを防止し、作業能率が上がり、活着率の向上が図られる有効な雑草侵入等防止板を提供することを課題とする。【解決手段】本考案は、既存する天然植物繊維製の円板状のドーナッツ板を基部とし、基部の大きさは直径約４０ｃｍと中心部の直径を約７ｃｍとして、基部の外側円弧線上端から中心部にかけて、幅約２ｃｍ程度の切込みを入れ、植栽木の根元に出し入れ可能に成るようにして使用するものである。    【選択図】図１
0003112039.tif 000002
【実用新案登録請求の範囲】
【請求項１】
天然植物繊維製で円板状のドーナッツ板を基部として、基部の外側円弧線上端から中心部に切込みを入れて出し入れ可能にして成る雑草侵入防止板
【考案の詳細な説明】
【技術分野】
【０００１】
この考案は、樹木苗を山に植栽した際に、根の乾燥防止や根の部分に覆土した周りに笹や蔓茎類および雑草が進入しないように保護するための雑草侵入防止板に関するものである。  
【背景技術】
【０００２】
従来は、苗木を山に植栽した際に、植付け作業時点で根に覆土した部分が乾燥するものであり、これを防止するには植穴堀で除去した地被物を集め根の周りに被覆している。下刈り作業は、地拵作業で幅３ｍの筋刈りしたところに繁茂した笹、雑草、潅木、蔓茎類等を刈払機械で地際から刈払い、植栽木の被圧による蒸れを防止している。
下刈り作業は、秋に植栽した場合は、翌年の６月中旬に１回目下刈りと８月中旬２回目下刈りを実施している。
１年間に２回の下刈りは、植栽木が小さいため３年間続け、その後は１回下刈りを４年間続け、下刈りの終了時点は植栽木の大部分が植生を脱して生育が植生に阻害されなくなった時点として、約７年で１０回の刈払いが標準となっている。
植栽木に与える被害は、植付け直後に根の乾燥による被害、その後は笹や雑草および蔓等に被圧による蒸れや日照不足による被害、下刈り作業のときに雑草が繁茂して小さい植栽苗木が発見しづらいことにより刈払い機械よる切損被害の割合が高く、その結果、植栽木の目標活着率に達しない場合には補植が必要になり、経費等の掛り増しになっているのが現状である。
このことから、軽くて運搬が容易で、簡単に設置ができ、根の乾燥防止や下刈り回数を減らし、さらに、刈払い機で切損もなく、作業能率が上がり、活着率が向上する有効なものが望まれている。
【考案の開示】
【考案が解決しようとする課題】
【０００３】
既存する、根の乾燥や雑草等の侵入などによる被害を防止するものがないことから、経費等の掛り増しになっている。
そこで、この考案は、軽くて運搬が容易で簡単に設置でき、植栽木の被害などを防止し、作業能率が上がり、活着率の向上が図られるとともに天然植物繊維のため土壌分解し環境に配慮した有効な雑草侵入等防止板を提供することを課題とする。
【課題を解決するための手段】
【０００４】
以上の課題を解決するために、考案は、既存する天然植物繊維製の円板状のドーナッツ板を基部とし、基部の大きさは直径約４０ｃｍと中心部の直径を７ｃｍとして、基部の外側円弧線上端から中心部にかけて、幅約２ｃｍ程度の切込みを入れ、植栽木の根元に出し入れ可能に成るようにして使用するものである。          
【考案の効果】
【０００５】
本考案による雑草侵入等防止板は、基部の大きさを直径約４０ｃｍとして、基部の外側円弧線上の端から中心部に向けて約２ｃｍ程度の切込みを入れ、その隙間から苗木の根元樹幹を中心部の位置に入れ、風による移動や雑草がドーナッツ板の下から雑草等の芽が伸長しても浮き上がらないように、木製の目串を基部の外側円弧線上の若干中心部寄りに４本程度打ち付けて固定させて、覆土の周りに笹や雑草等が侵入してくるのを防止するために極めて有効である。
また、天然植物繊維製のドーナッツ板が土壌分解するのは４〜５年間程度であり、その間の下刈り回数は標準で３年６回必要であるのに対して雑草侵入防止板を使用すると３年３回と減らせる。また、植栽木の発見が容易なため作業能率も上がり、刈払機による切損もなくなり植栽木の活着率も高率に維持できる。
天然植物繊維製は４〜５年程度で土壌分解するので環境によく、出し入れの必要がないために労務費等の節減になり有効な雑草侵入防止板である。
【考案を実施するための最良の形態】
【０００６】
考案の実施形態を図１で示す。
本考案による雑草侵入防止板の基部１本体は、天然植物繊維製の円板状でドーナッツ板の構造であり、大きさは直径約４０ｃｍ、厚さ約0.9ｃｍ、中心部３の直径が約６ｃｍ程度として、基部１の外側円弧線上の端から中心部３に向けて約２ｃｍ幅程度の切込部２を入れたドーナッツ板の構造である。
その切込部２の隙間から植栽苗木の根元樹幹を中心部３の位置に設置して、風による移動や雑草が雑草侵入防止板の下から雑草等の芽が伸長しても浮き上がらないように、木製の目串を基部１の外側円弧線上の若干内側に４本程度打ち付けて固定して、植栽木の覆土した部分に笹や雑草が侵入してくるのを防止する。
なお、素材は植物プラスチック、木材の樹皮等、ダンボール板でも使用可能である。
形状は多角形でもよく、大きさは、大で直径約６０ｃｍ・中で直径約４０ｃｍ・小で直径約３０ｃｍ程度に分類して使用目的に応じて利用する。
【図面の簡単な説明】
【０００７】
【図１】本考案に係る雑草侵入防止板の実施形態を示す斜視図である。
【符号の説明】
【０００８】
１  基部              
２  切込部
３  中心部
【図１】
0003112039.tif 000003
(57)【要約】【課題】  本考案は、上記課題を解決するためになされたものであり、防寒性に優れ、使用時のずれやたるみを防止でき、かつファッション性にも優れているスカーフを提供する。【解決手段】  本考案のスカーフ１は、全体がドーナツ状に形成され、扁平筒状に二重に構成された本体２からなり、前記本体の正面の内側、背面の外側及び内側には、長手方向に延びた中央ライン２ａと、その中央ラインの上部及び下部に延びた傾斜ライン２ｂとからなる縫目がある。【選択図】  図１
0003112064.tif 000002
【実用新案登録請求の範囲】
【請求項１】
全体がドーナツ状に形成され、扁平筒状に二重に構成された本体からなり、前記本体の正面の内側、背面の外側及び内側には、長手方向に延びた中央ラインと、その中央ラインの上部及び下部に延びた傾斜ラインとからなる縫目がある、ことを特徴とするスカーフ。
【考案の詳細な説明】
【技術分野】
【０００１】
本考案は、スカーフに関する。
【背景技術】
【０００２】
従来、種々の模様や柄をあしらった様々なスカーフが存在する。
【０００３】
従来のスカーフは、いずれも四辺形状の布片で形成されている。その使用に際しては、四辺形状のスカーフを適当に折り畳んで首に巻きつけたり、顔面を表に出しつつスカーフ全体で頭部を包覆したりしていた。
【０００４】
なお、実用新案登録弟３０３９５３６号公報には、長手状扁平な筒状の本体の両端を袋編みした二重編みマフラーが提案されている。
【０００５】
【特許文献１】実用新案登録弟３０３９５３６号公報
【考案の開示】
【考案が解決しようとする課題】
【０００６】
従来のスカーフでは、防寒性やファッション性の点で劣り、また、使用時のずれやたるみ等が生じやすい。
【０００７】
本考案は、上記課題を解決するためになされたものであり、防寒性に優れ、使用時のずれやたるみを防止でき、かつファッション性にも優れているスカーフを提供することを目的とする。
【課題を解決するための手段】
【０００８】
本考案のスカーフは、全体がドーナツ状に形成され、扁平筒状に二重に構成された本体からなり、前記本体の正面の内側、背面の外側及び内側には、長手方向に延びた中央ラインと、その中央ラインの上部及び下部に延びた傾斜ラインとからなる縫目がある、ことを特徴とするものである。
【考案の効果】
【０００９】
本考案のスカーフによれば、二重に構成されているので、防寒性に優れ、使用時のずれやたるみを防止でき、かつファッション性にも優れている。
【考案を実施するための最良の形態】
【００１０】
以下、本考案の実施の形態について図面を参照して説明する。図１（Ａ）は本考案の実施形態例に係るスカーフの正面図、（Ｂ）はその背面図、図２は、その平面図、（Ｂ）はその側面図、図３（Ａ）はその右側面図、（Ｂ）はその左側面図、図４（Ａ）は、図１（Ｂ）のａ−ａ線断面図、（Ｂ）は図３（Ａ）のｂ−ｂ線断面図、図５（Ａ）は図３（Ａ）のｃ−ｃ線断面図、（Ｂ）は本考案の実施形態例に係るスカーフを示す斜視図、図６（Ａ）、（Ｂ）及び（Ｃ）は本考案の実施形態例に係るスカーフの使用状態を示す参考図、図７（Ａ）及び（Ｂ）は本考案の実施形態例に係るスカーフの使用状態を示す参考図、図８（Ａ）及び（Ｂ）は本考案の実施形態例に係るスカーフの使用状態を示す参考図である。
【００１１】
本考案に係るスカーフ１は、全体がドーナツ状に形成され、図４（Ａ）、（Ｂ）及び図５（Ａ）に示すように、扁平筒状に二重に構成されている本体２からなる。
【００１２】
図１（Ｂ）、図４（Ｂ）、図５（Ａ）及び（Ｂ）に示すように、本体２の正面の内側、背面の外側及び内側には、長手方向に延びた中央ライン２ａと、その中央ラインの上部及び下部に延びた傾斜ライン２ｂとからなる縫目がある。この縫目２ａ、２ｂは、本考案に係るスカーフを製造する際に形成されるものである。
【００１３】
本考案に係るスカーフ１を使用する場合、例えば、図６（Ａ）及び（Ｂ）に示すように、首部に巻き付けたり、図６（Ｃ）に示すように頭部及び首部に巻き付けたり、図７及び図８に示すように、首部及び胸部に巻き付けてもよい。
【００１４】
本考案に係るスカーフ１は、二重に構成されているので、防寒性に優れ、使用時のずれやたるみを防止でき、かつファッション性にも優れている。
【００１５】
本考案は、上記実施例に限定されることはなく、実用新案登録請求の範囲に記載された技術的事項の範囲内において、種々の変更が可能である。
【図面の簡単な説明】
【００１６】
【図１】（Ａ）は本考案の実施形態例に係るスカーフの正面図、（Ｂ）はその背面図である。
【００１７】
【図２】（Ａ）は本考案の実施形態例に係るスカーフの平面図、（Ｂ）はその底面図である。
【００１８】
【図３】（Ａ）は本考案の実施形態例に係るスカーフの右側面図、（Ｂ）はその左側面図である。
【００１９】
【図４】（Ａ）は、図１（Ｂ）のａ−ａ線断面図、（Ｂ）は図３（Ａ）のｂ−ｂ線断面図である。
【００２０】
【図５】（Ａ）は図３（Ａ）のｃ−ｃ線断面図、（Ｂ）は本考案の実施形態例に係るスカーフを示す斜視図である。
【００２１】
【図６】（Ａ）、（Ｂ）及び（Ｃ）は本考案の実施形態例に係るスカーフの使用状態を示す参考図である。
【００２２】
【図７】（Ａ）及び（Ｂ）は本考案の実施形態例に係るスカーフの使用状態を示す参考図である。
【００２３】
【図８】（Ａ）及び（Ｂ）は本考案の実施形態例に係るスカーフの使用状態を示す参考図である。
【符号の説明】
【００２４】
１：スカーフ
２：本体
２ａ：中央ライン
２ｂ：傾斜ライン
【図１】
0003112064.tif 000003
【図２】
0003112064.tif 000004
【図３】
0003112064.tif 000005
【図４】
0003112064.tif 000006
【図５】
0003112064.tif 000007
【図６】
0003112064.tif 000008
【図７】
0003112064.tif 000009
【図８】
0003112064.tif 000010
(57)【要約】      （修正有）【課題】食卓でも使用出来る、小型、安価、堅牢、単純、リサイクルに便利な、家庭用アルミ空き缶潰し器を提供する。【解決手段】（イ）基板１横に垂直に曲げた止板２を形成する。（ロ）基板１の長手方向の１端に軸受け５、５を設け基板１と固着する。（ハ）軸受け５、５、には、軸６設け軸着する。（ニ）軸６には圧縮板３を設け、固着する。（ホ）圧縮板３には握り手４を設け、固着する。以上の構成でアルミ空き缶潰し器が出来る。【選択図】図１
0003112069.tif 000002
【実用新案登録請求の範囲】
【請求項１】
（イ）基板（１）横に垂直に曲げた止板（２）を形成する。
（ロ）基板（１）の長手方向の１端に軸受け（５）、（５）、を設け、基板（１）と固着する。
（ハ）軸受け（５）、（５）、には軸（６）を設け軸着する。
（ニ）軸（６）は圧縮板（３）を設け、固着する。
（ホ）圧縮板（３）には握り手（４）を設け、固着する。
以上の構成による、アルミ空き缶潰し器。
【請求項２】
胴中潰し工程において、手動で１度の圧縮作業によりアルミ空き缶は、端面が４５°±５°に変形するアルミ空き缶潰し器。
（図２Ａ参照）
【考案の詳細な説明】
【技術分野】
【０００１】本発明は、ビール、ジュース、等のアルミ空き缶を、家庭の食卓の上でも容易に潰す事が出来るアルミ空き缶潰し器に関する。
【背景技術】
【０００２】これまでの空き缶潰し器は、高価で大型、複雑であった。
【考案の開示】
【考案が解決使用とする課題】
【０００３】そこで本発明は、安価で、小型、簡単、堅牢なアルミ空き缶専用潰し器を提供しようとするものである。
【課題を解決するための手段】
【０００４】（イ）基板（１）横に垂直に曲げた止板（２）を形成する。
（ロ）基板（１）の長手方向の１端に軸受け（５）、（５）を設け、基板（１）と固着する。
（ハ）軸受け（５）、（５）には、軸（６）を設け軸着する。
（ニ）軸（６）には圧縮板（３）を設け、固着する。
（ホ）圧縮板（３）には握り手（４）を設け、固着する。
以上１図に示すようなアルミ空き缶潰し器が出来る
【考案の効果】
【０００５】（イ）アルミ空き缶専用とした為、小型で食卓の上でも使用出来る（ビールを飲んで空き缶が出来ると、即潰せる）
（ロ）簡単に板状に潰せる為、資源回収に便利である。
（ハ）構造が簡単である。
（ニ）堅牢である。
【考案を実施するための最良の形態】
【０００６】図３によって、本考案の実施例を説明する。
（イ）鋼板、鋳鉄、ステンレス、等の素材で基板（１）を形成し、基板（１）を垂直に曲げた止板（２）を形成する。
（ロ）基板の長手方向の一端に軸受け（５）、（５）設け、基板（１）と固着する。
（ハ）軸受け（５）、（５）には、軸（６）を設け軸着する。
（ニ）軸（６）には圧縮板（３）を設け、固着する。
（ホ）圧縮板（３）と基板（１）とは隙間を設ける、この隙間によって、後述する胴中潰し工程で、空き缶挿入時、基板（１）と圧縮板（３）との角度が緩やかになり、空き缶の逃げを少なくし、圧縮作業を容易にする。
（ヘ）圧縮板（３）には、握り手（４）を固着する。
（ト）基板（１）、止板（２）、軸受け（５）、（５）と、圧縮板（３）、軸（６）、（６）、握り手（４）、の２つの部分に分けて製作する事も出来る。
その場合は、軸受け（５）、（５）、軸（６）、（６）は、図４の様に加工し、はめ合わせ組み立てる。
型で製作する場合特に便利である。
【実施例】
【０００７】アルミ空き缶３５０ｍｌに、ついて説明する。
図２参照
（イ）胴中潰し工程
空き缶を基板（１）と、圧縮板（３）の、間に握り手（４）の長手方向と直角になるように止板（２）に当たるまで挿入し、空き缶が逃げない様に左手で保持したまま、右手で握り手（４）を押し下げると、空き缶の中央部は、圧縮板（３）に押し潰される。
握り手を押し下げた状態では端面角度３０°になるが、握り手を持ち上げると、弾性によって端面角度は４５°±５°になり容易に手前に空き缶を引き抜く事が出来る。
引き抜いた空き缶は図２（Ａ）のように変形する。
（ロ）端面潰し工程
図２Ａのように変形した空き缶は一方の端面を、軸受け（５）、（５）、軸（６）、に近い位置に、基板（１）と、圧縮板（３）との間に挟み握り手（４）を、押し下げると、図２Ｂのように押し潰される。
もう一方の端面も同様に押し潰すと図２Ｃのように板状に押し潰される。
この結果空き缶の容積は、当初の１／４に縮小できる。
アルミ空き缶５００ｍｌに、ついて説明する。
図２Ｄ参照
（イ）胴中潰し工程
アルミ空き缶５００ｍｌも３５０ｍｌと同様に。
空き缶を基板（１）と、圧縮板（３）の、間に握り手（４）の長手方向と直角になるように止板（２）に当たるまで入れ、空き缶が逃げない様に左手で保持したまま、右手で握り手（４）を押し下げると、空き缶の中央部は、圧縮板（３）に押し潰される。
図２Ｄのごとく変形します。
左右を入れ替え再度胴中潰し工程を行います。
図２Ｅのように変形します。
アルミ空き缶５００ｍｌ胴中潰し工程は２工程になります。
（ロ）端面潰し工程
アルミ空き缶３５０ｍｌと全く同様です。
【産業上の利用可能性】
【０００８】
【図面の簡単な説明】
【０００９】
【図１】本考案の斜視図
【図２】空き缶潰し工程図
【図２】Ａ  ３５０ｍｌアルミ空き缶胴中潰し工程によって変形した空き缶の正面投影図
【図２】Ｂ  ３５０ｍｌアルミ空き缶端面折り曲げ工程によって、変形した空き缶の正面投影図
【図２】Ｃ  ３５０ｍｌアルミ空き缶が、完全に潰された空き缶の正面投影図
【図２】Ｄ  ５００ｍｌアルミ空き缶胴中潰し工程によって、変形した空き缶の正面投影図
【図２】Ｅ  ５００ｍｌアルミ空き缶が第２胴中潰し工程によって、変形した空き缶の正面投影図
【図３】本考案の構成を示す分解図である
【図４】本考案の軸受け、軸、の第２案斜視図
【符号の説明】
１基板
２止板
３圧縮板
４握り手
５軸受け
６軸
【図１】
0003112069.tif 000003
【図２】
0003112069.tif 000004
【図３】
0003112069.tif 000005
【図４】
0003112069.tif 000006
【手続補正書】
【提出日】平成16年3月22日(2004.3.22)
【手続補正１】
【補正対象書類名】実用新案登録請求の範囲
【補正対象項目名】補正の内容のとおり
【補正方法】変更
【補正の内容】
0003112069.tif 000007
【手続補正書】
【提出日】平成16年8月29日(2004.8.29)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
（イ）基板（１）横に垂直に曲げた止板（２）を形成する。
（ロ）基板（１）の長手方向の１端に軸受け（５）、（５）、を設け、基板（１）と固着する。
（ハ）軸受け（５）、（５）、には軸（６）を設け軸着する。
（ニ）軸（６）は圧縮板（３）を設け、固着する。
（ホ）圧縮板（３）には握り手（４）を設け、固着する。
以上の構成による、アルミ空き缶潰し器。
(57)【要約】【課題】  除雪バケットの雪すくい部先端に昇降自在に設けて、すくい込んだ雪を抱えて運搬途中でこぼれ落ちないようにする開閉体を、ワンタッチで昇降操作できる除雪具を提供すること。【解決手段】  除雪バケット１にコ字形のハンドル２を設け、除雪バケット１の雪すくい部先端５を開閉体６で昇降自在に閉止して成る除雪具において、  開閉体５を昇降自在に軸支する一対のアーム４の一方に、弾性変形自在な操作棒７をアーム４に対して所要の角度で後方にはね上げ状に接合し、操作棒７の後端にはハンドル２の側方に係止する円弧状のフック８を形成して成る。【選択図】  図１
0003112029.tif 000002
【実用新案登録請求の範囲】
【請求項１】
除雪バケットに平面視コ字形のハンドルを設け、該除雪バケットの雪すくい部先端を開閉体で昇降自在に閉止して成る除雪具において、
前記開閉体を昇降自在に軸支する一対のアームの一方に、弾性変形自在な操作棒を該アームに対して所要の角度で後方にはね上げ状に接合し、該操作棒の後端にはハンドルの側方に係止する円弧状のフックを形成して成る除雪具。
【考案の詳細な説明】
【技術分野】
【０００１】
本考案は、通称スノーダンプ（登録商標）と呼ばれ、すくい取った雪を運搬して排雪する除雪具に関する。
【背景技術】
【０００２】
従来のスノーダンプに装着して多くの雪を積むことができるコの字型の雪積み囲いは実開平６−６３６２２号公報に開示され、大量の雪処理が可能となるようスノーダンプにコの字型のダンパーを設けた排雪用スノーダンプは特開２００２−２６６３２６号公報に開示され、スノーダンプに中空の箱を乗せこれに雪を積んで運搬する技術が特開２００２−３３２６１９号公報に開示されている。
上記三者の技術は、何れも紐やロープの柔軟なもので雪すくい部先端の開閉体を昇降するものであるから、開状態時には紐やロープを引き込むことと、これらと一体のカギなどの係止手段の係止がワンタッチの処理とならず手間取るものである。
【特許文献１】実開平６−６３６２２号公報
【特許文献２】特開２００２−２６６３２６号公報
【特許文献３】特開２００２−３３２６１９号公報
【考案の開示】
【考案が解決しようとする課題】
【０００３】
本考案は上記に鑑みて、除雪バケットの雪すくい部先端に昇降自在に設けてすくい込んだ雪を抱え途中でこぼれ落ちないようにする開閉体を、弾性変形自在な操作棒によってワンタッチで開閉操作できる除雪具を提供する。
【課題を解決するための手段】
【０００４】
本考案の除雪具は、除雪バケットに平面視コ字形のハンドルを設け、該除雪バケットの雪すくい部先端を開閉体で昇降自在に閉止して成る除雪具において、
前記開閉体を昇降自在に軸支する一対のアームの一方に、
弾性変形自在な操作棒を該アームに対して所要の角度で後方にはね上げ状に接合し、該操作棒の後端にはハンドルの側方に係止する円弧状のフックを形成して成る。
【考案の効果】
【０００５】
本考案の除雪具によれば、操作棒はどこを持たれても後端のフックは垂れることなく一定姿勢であるとともに、力の入れ加減で弾性変形して容易にフックをハンドルの側方に係止でき、ワンタッチで開閉体を開状態に保持できるから排雪に両手使用の状態で対応でき、雪すくい後は操作棒を押し下げると弾性変形によってハンドルの側方から脱却され開閉体は自重で降下し開閉が極めて簡易となる。
【考案を実施するための最良の形態】
【０００６】
操作棒は、単なる棒状のものから中間部からでも引き上げ易いように握りに馴染む凹凸を設けたものも提供される。操作棒の後端に設けられるフックは、直接ハンドルの側方に係止されるものから側方に設けるピンなどの係止手段を介して係止されるものも含む。開閉体は金属板から軽量化が図られたパンチングメタルや平板で枠取りされた金網など選択される。
【実施例】
【０００７】
本考案の除雪具Ａを実施例により説明すると、図１、図２に示すように、除雪バケット１に平面視逆コ字形のハンドル２を設け、ハンドル２の基部に固定した両軸受け３に一端を回動自在に軸支した両アーム４の他端の雪すくい部先端５には所要高さの金属板からなる開閉体６が接合され、手前側のアーム４の上面で雪すくい部先端５寄りに弾性変形自在な鋼棒からなる操作棒７がハンドル２の側に向けて所要角度ではね上げ状に溶着され、操作棒７の後端にはハンドル２の側方に係止される円弧状のフック８が形成されて成る。
【０００８】
このようにして成る除雪具Ａは、図３に示すように、操作棒７のフック８がハンドル２の手前側側方に係止され、開閉体６が上昇された状態で雪すくい部先端５から雪をすくい込み、次に操作棒７を片手で押し下げつつフック８をハンドル２の側方から外した状態で外方へそらせば、操作棒７はハンドル２の側方から脱却して開閉体６は自重で降下し、図１で示す状態となってすくい取った雪の先端部分を抱え込むので運搬中こぼれ落ちない。
この状態で雪捨て場所に至り操作棒７を押さえ付けフック８をハンドル２の側方に係止すると開閉体６は上昇姿勢で確保されるから、ハンドル２を押し立てれば雪すくい部先端５から排雪できる。
【産業上の利用可能性】
【０００９】
本考案の除雪具は、すくい取った雪を雪すくい部先端から滑り落とさぬようにするに当って、剛性があってしかも弾性変形自在な操作棒を介して行なうものであるから、操作棒を持つ位置に拘わらずハンドルの側方に係脱でき、係止状態では弾発力による摩擦力が作用するから確実にフックは該側方に係止されるので需要が大いに期待される。
【図面の簡単な説明】
【００１０】
【図１】本考案の除雪具Ａの一側面図。
【図２】図１の平面図。
【図３】除雪具Ａの雪すくい状態の一側面図。
【符号の説明】
【００１１】
１：除雪バケット
２：ハンドル
３：軸受け
４：アーム
５：雪すくい部先端
６：開閉体
７：操作棒
８：フック
Ａ：除雪具
【図１】
0003112029.tif 000003
【図２】
0003112029.tif 000004
【図３】
0003112029.tif 000005
(57)【要約】【課題】  マルチメディアパネルからテレビ等に対し、一本（外観上）のケーブルによって電力とテレビ信号を供給することができるマルチメディアケーブルタップを提供する。【解決手段】  電源コンセント６及びテレビ端子７を有する本体２と、電源プラグ３と、テレビプラグ４と、ケーブル５とによって構成され、テレビ信号用のケーブルと電源用のケーブルとを一本（外観上）に纏めることによってケーブル５を構成したことを特徴とする。【選択図】  図１
0003112024.tif 000002
【実用新案登録請求の範囲】
【請求項１】
電源コンセント及びテレビ端子を有する本体と、電源プラグと、テレビプラグと、ケーブルとによって構成され、
前記ケーブルは、テレビ信号用のケーブルと電源用のケーブルとを一本に纏めてなるものであることを特徴とするマルチメディアケーブルタップ。
【請求項２】
前記本体に、テレビ端子が二つ以上形成されていることを特徴とする、請求項１に記載のマルチメディアケーブルタップ。
【請求項３】
本体内に、テレビ信号を分ける分波器或いは分配器が配置されていることを特徴とする、請求項２に記載のマルチメディアケーブルタップ。
【考案の詳細な説明】
【技術分野】
【０００１】
本考案は、室内壁面のＡＣ電源コンセントから離れた位置に設置される各種電気製品へ電力を供給する延長コード（ＯＡタップ、テーブルタップ）に関し、特に、テレビ信号をも供給することができるマルチメディアタップに関する。
【背景技術】
【０００２】
従来のブラウン管型のテレビは奥行き寸法が大きかったため、設置場所が制限されるという問題があったが、現在広く普及しつつある薄型テレビ（液晶テレビ等）は、従来は設置することが困難であったような場所であっても無理なく設置することができる。また最近では、持ち運びが容易なラップトップ型パーソナルコンピュータにおいて、テレビチューナーを搭載したものなども市場に供給されている。
【０００３】
このような機器を用いれば、どのような場所でも簡単にテレビ放送を視聴できる、ということになる。但し、「どのような場所でも」とは言え、テレビ放送の視聴が可能な状態とするには、当然のことながらテレビ信号と駆動電力を供給しなければならない。従って、室内壁面に設けられているテレビ信号の壁面端子、及び、ＡＣ電源コンセントから離れた位置に設置する場合には、壁面端子からテレビの近傍までテレビ信号を伝送する同軸ケーブル、及び、壁面のＡＣ電源コンセントからテレビの近傍まで駆動電力を中継する延長コードがそれぞれ必要になる。
【考案の開示】
【考案が解決しようとする課題】
【０００４】
ところで最近では、ＡＣ電源コンセントとテレビ信号の壁面端子とが壁面に設けられた一枚のパネルに併設されていることが多い。このようなパネル（マルチメディアパネル）が設置されている場合、テレビとの間に接続される同軸ケーブルと延長コードは同一経路に配置されることになるが、同一経路であるにも拘わらずそれぞれ個別に配置しなければならないとすると、作業が煩わしく、また、二本のコードが絡み合っていたりすると、外観上もすっきりせず、室内の美観を損なってしまうという問題がある。
【０００５】
本考案は、このような従来技術における問題を解決すべくなされたものであって、マルチメディアパネルからテレビ等に対し、一本（外観上）のケーブルによって電力とテレビ信号を供給することができるマルチメディアケーブルタップを提供することを目的とする。
【課題を解決するための手段】
【０００６】
本考案のマルチメディアケーブルタップは、電源コンセント及びテレビ端子を有する本体と、電源プラグと、テレビプラグと、ケーブルとによって構成され、当該ケーブルは、テレビ信号用のケーブルと電源用のケーブルとを一本（外観上）に纏めてなるものであることを特徴としている。尚、テレビ端子は二つ以上形成されていることが好ましく、この場合、テレビ信号を分ける分波器或いは分配器が本体内に配置されていることが好ましい。
【考案の効果】
【０００７】
本考案のマルチメディアケーブルタップは、外観上は一本のケーブルにより、電源電力とともにテレビ信号をテレビやその周辺機器、或いは、パーソナルコンピュータ等へ供給することができる。ケーブルが一本で済むため、設置作業が容易であり、また、すっきりとした外観を呈し、室内の美観が損なわれるという問題を好適に回避することができる。
【考案を実施するための最良の形態】
【０００８】
以下、添付図面に沿って、本考案の「マルチメディアケーブルタップ」を実施するための最良の形態について説明する。図１は、本考案の第１の実施形態に係るマルチメディアケーブルタップ１の外観構成を示す図である。本実施形態のマルチメディアケーブルタップ１は、基本的には本体２、電源プラグ３、テレビプラグ４、ケーブル５によって構成されている。
【０００９】
図示されているように、本体２の上面には、三つの電源コンセント６のほかに、二つのテレビ端子７が設けられている。また、テレビプラグ４は、同軸ケーブル８を介して電源プラグ３の基部に繋がっており、電源プラグ３は、ケーブル５を介して本体２と接続されている。
【００１０】
ケーブル５は、テレビ信号用のケーブルと電源用のケーブルとを一本に纏め、それらの外側を被覆してなるものであり、テレビ信号用のケーブルの一端は、電源プラグ３の基部の内部において同軸ケーブル８と接続され、他端は、本体２の上面に設けられている二つのテレビ端子７に、分波器或いは分配器を介して接続されている。尚、テレビ信号用のケーブルと電源用のケーブルとは、ケーブル５内において、相互に絶縁された状態となっている。従って、このマルチメディアケーブルタップ１は、電源電力とともにテレビ信号を本体２からテレビやビデオテープレコーダ、或いは、ＨＤＤレコーダ等へ供給することができる。
【００１１】
また、上述の通り、本体２には二つのテレビ端子７が設けられているため、テレビやＨＤＤレコーダ等、テレビ信号を入力すべき機器の入力端子が二つあるような場合であっても、分波器や分配器を別途購入して間に挿入するというような手間を省くことができる。
【図面の簡単な説明】
【００１２】
【図１】本考案に係るマルチメディアケーブルタップ１の外観構成図。
【符号の説明】
【００１３】
１：マルチメディアケーブルタップ、
２：本体、
３：電源プラグ、
４：テレビプラグ、
５：ケーブル、
６：電源コンセント、
７：テレビ端子、
８：同軸ケーブル
【図１】
0003112024.tif 000003
(57)【要約】【課題】  外部アンテナの設置作業を省略することができ、簡単な取付作業のみでテレビ受信システムを実現することができるアンテナ内蔵ブースターを提供する。      【解決手段】  アンテナを内蔵していることを特徴とする。尚、内蔵アンテナでは十分な映像が得られない場合に備えて、受信信号の入力を内蔵アンテナから外部アンテナに切り替えることができるように構成され、また、内蔵アンテナが使用される場合にはプリアンプが動作するように構成されている。      【選択図】  図１
0003112023.tif 000002
【実用新案登録請求の範囲】
【請求項１】
アンテナを内蔵していることを特徴とするアンテナ内蔵ブースター。
【請求項２】
受信信号の入力を、内蔵アンテナから外部アンテナに、また、外部アンテナから内蔵アンテナに、切り替えることができるように構成されていることを特徴とする、請求項１に記載のアンテナ内蔵ブースター。
【請求項３】
前記内蔵アンテナが使用される場合にはプリアンプが動作するように構成されていることを特徴とする、請求項２に記載のアンテナ内蔵ブースター。
【考案の詳細な説明】
【技術分野】
【０００１】
本考案は、テレビアンテナによって受信された信号を増幅してテレビ端子或いは直列ユニット等へ向けて出力するブースターに関し、特に、テレビアンテナを内蔵したブースターに関する。
【背景技術】
【０００２】
現在の個別テレビ受信システムは、ＶＨＦアンテナやＵＨＦアンテナ等の外部アンテナを屋外（屋根の上など）に設置し、宅内配線、テレビ端子等を介して、アンテナからテレビ受像機へ受信信号を供給するように構成されている。尚、電波が弱いエリアにおいては、ブースターを介在させ、受信信号を増幅したうえでテレビ受像機へ供給するように構成されている。
【考案の開示】
【考案が解決しようとする課題】
【０００３】
屋外に設置する従来の外部アンテナは非常に大きく、また、屋根の上での設置作業は危険を伴うほか、確実に固定するためには専門的な技術が必要となるため、設置しようとする者が自ら作業を行うことは困難である場合が多い。
【０００４】
本考案は、このような従来技術における問題を解決すべくなされたものであって、外部アンテナの設置作業を省略することができ、簡単な取付作業のみでテレビ受信システムを実現することができるアンテナ内蔵ブースターを提供することを目的とする。
【課題を解決するための手段】
【０００５】
本考案のアンテナ内蔵ブースターは、アンテナを内蔵していることを特徴としている。尚、内蔵アンテナでは十分な映像が得られない場合に備えて、受信信号の入力を内蔵アンテナから外部アンテナに、また、外部アンテナから内蔵アンテナに、切り替えることができるように構成することが好ましく、更に、内蔵アンテナが使用される場合には、プリアンプが動作するように構成することが好ましい。
【考案の効果】
【０００６】
本考案のアンテナ内蔵ブースターによれば、屋外に大きなアンテナを設置することなく、簡単にテレビ受信システムを構築することができる。また、受信信号の入力を内蔵アンテナから外部アンテナに切り替えることができるように構成した場合には、内蔵アンテナでは十分な映像が得られないような場合においても、テレビを好適に視聴することができる。
【０００７】
また、内蔵アンテナが使用される際にはプリアンプが動作するように構成した場合には、十分な利得が得られないような場合でも好適に補償することができ、ノイズ混入等の問題を有効に回避することができる。
【考案を実施するための最良の形態】
【０００８】
以下、添付図面に沿って、本考案の「アンテナ内蔵ブースター」を実施するための最良の形態について説明する。図１は、本考案の第１の実施形態に係るアンテナ内蔵ブースターの外観構成を示す図である。この図において１は本体ケース、２はアンテナポール、３は入力端子、４は出力端子である。
【０００９】
本体ケース１内には、受信信号を増幅する回路、及び、アンテナ（アンテナポール２以外の構成部分）が収容されている。また、このアンテナ（アンテナポール２を含む）によって受信した信号を増幅して出力端子４から出力するか、或いは、図示しない外部アンテナによって受信され、入力端子３から入力された信号を増幅して出力端子４から出力するかを切り替えるためのスイッチが取り付けられている。
【００１０】
尚、内蔵アンテナが使用される場合には、プリアンプが動作するようになっており、利得を補償できるようになっている。また、本体ケース１内に配置されている増幅回路への電源電力の供給は、離れた位置に設置された電源ユニットから、テレビ受像機へ信号を伝送する同軸ケーブル及びこれが接続される出力端子４を介して行われるように構成されている。
【００１１】
本考案に係るアンテナ内蔵ブースターは、横幅１０〜２０ｃｍ程度、重さ５００ｇ程度のものとして構成することができるため、建物の外壁、内壁、ベランダの手摺などに、簡単に取り付けることができ、しかも、アンテナを内蔵しているため、大きな外部アンテナを屋外に設置するという作業を省略することができる。
【００１２】
また、既に外部アンテナが設置されている場所においては、受信信号の入力を内蔵アンテナから外部アンテナに切り替えることができるので、内蔵アンテナでは十分な映像が得られないような場合においても、テレビを好適に視聴することができる。更に、信号を伝送する同軸ケーブルによって電源電力が供給されるように構成されているため、電源コンセントの有無に拘わらず、どのような場所でも設置することができる。
【図面の簡単な説明】
【００１３】
【図１】本考案に係るアンテナ内蔵ブースターの外観構成図。
【符号の説明】
【００１４】
１：本体ケース、
２：アンテナポール、
３：入力端子、
４：出力端子
【図１】
0003112023.tif 000003